(57)【要約】【課題】本発明は、ボリュームの設定に応じて、表示部への電源供給も遮断することにより、消費電力を削減することができる再生装置を提供する。【解決手段】本実施の形態の再生装置は、音楽データを増幅する増幅部と、音楽データを再生する音楽データ再生部と、前記音楽データ再生部で再生するためのボリュームを設定するボリューム設定部と、前記ボリューム設定部で設定したボリュームで音楽データを出力する音楽データ出力部と、前記音楽データ再生部で再生する音楽データに関する情報を表示する表示部と、少なくとも前記増幅部、前記音楽データ再生部、表示部に電源を供給する電源供給部とを備え、前記電源供給部は、前記ボリューム設定手段で設定されたボリュームが一定値以下の場合には、前記表示部への電源供給を停止する。【選択図】図１
2011186707.tif 000002
【特許請求の範囲】
【請求項１】
音楽データを増幅する増幅部と、
音楽データを再生する音楽データ再生部と、
前記音楽データ再生部で再生するためのボリュームを設定するボリューム設定部と、
前記ボリューム設定部で設定したボリュームで音楽データを出力する音楽データ出力部と、
前記音楽データ再生部で再生する音楽データに関する情報を表示する表示部と、
少なくとも前記増幅部、前記音楽データ再生部、表示部に電源を供給する電源供給部とを備え、
前記電源供給部は、前記ボリューム設定手段で設定されたボリュームが一定値以下の場合には、前記表示部への電源供給を停止することを特徴とする再生装置。
【発明の詳細な説明】
【技術分野】
【０００１】
本発明は、音声データを再生する再生装置に関し、特に、ボリュームの制御を使って消費電力を削減する方法に関するものである。
【背景技術】
【０００２】
近年、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ)の広まりにより、複数のスピーカから音声データを出力することで臨場感のある音声の再生を提供する再生装置として、サラウンドシステムの需要が高まっている。
【０００３】
一方、サラウンドシステムに代表される高機能の再生装置は、多くの電力を消費するため、様々な省電力に対する取り組みがなされている。
【０００４】
特許文献１では、再生する音声信号が無音かどうかを判定して、無音であれば音声出力回路への電源供給を遮断し、音声データが無音時の消費電力を削減することが開示されている。
【０００５】
特許文献２では、ボリュームが全ミュート設定のとき、省電力モードに設定されていれば情報処理装置のサウンドカードを省電力モードで動作させ、情報処理装置の消費電力を削減することが開示されている。
【先行技術文献】
【特許文献】
【０００６】
【特許文献１】特開２００５−１３００６１号公報
【特許文献２】特開２００８−２７６６８４号公報
【発明の概要】
【発明が解決しようとする課題】
【０００７】
しかしながら、従来の再生装置は、音声データの無音状態を判定して無音状態での音声出力回路への電力供給を遮断したり、情報処理装置のサウンドカードを省電力設定にするにとどまり、省電力に対する対応が不十分であった。
【０００８】
そこで、本発明は、ボリュームの制御による電源制御を、音声信号回路だけではなく、再生装置の表示部にも適用し、より消費電力を削減することができる再生装置を提供することを目的とする。
【課題を解決するための手段】
【０００９】
上記目的を達成するために、本発明の再生装置は、音楽データを増幅する増幅部と、
音楽データを再生する音楽データ再生部と、
前記音楽データ再生部で再生するためのボリュームを設定するボリューム設定部と、
前記ボリューム設定部で設定したボリュームで音楽データを出力する音楽データ出力部と、
前記音楽データ再生部で再生する音楽データに関する情報を表示する表示部と、
少なくとも前記増幅部、前記音楽データ再生部、表示部に電源を供給する電源供給部とを備え、
前記電源供給部は、前記ボリューム設定手段で設定されたボリュームが一定値以下の場合には、前記表示部への電源供給を停止することを特徴とする再生装置としたものである。
【発明の効果】
【００１０】
上記の構成によれば、ボリュームの設定に応じて、音声信号回路への電源供給のみならず、表示部への電源供給も遮断することにより、より消費電力を削減することができる
【図面の簡単な説明】
【００１１】
【図１】実施の形態１にかかる再生装置のブロック図
【発明を実施するための形態】
【００１２】
以下、本発明の再生装置の実施の形態について、図面を参照しながら説明する。
（実施の形態１）
図１に、実施の形態１にかかる再生装置のブロック図を示す。
【００１３】
再生装置１００は、再生部１０１、デコーダ部１０２と、制御部１０３と、アンプ１０４と、ボリューム設定部１０５と、電源制御部１０６と、電源１０７と、第１のスイッチ１０８と、表示部１０９、アンプ制御部１１０、第２のスイッチ１１１で構成される。
【００１４】
再生部１０１は、ＣＤやＤＶＤ等の光ディスクを再生する。本実施の形態では、ＤＶＤのような光ディスクを再生しているが、ＨＤＤ（Ｈａｒｄ  Ｄｉｓｃ  Ｄｒｉｖｅ）に記録された音楽データを再生してもよい。
【００１５】
デコーダ部１０２は、再生部１０１で再生された音声データを音声信号、開始時間や演奏時間等の時間情報、およびタイトル情報に復号する。
【００１６】
ボリューム設定部１０５は、図示しないボリュームボタンを用いて入力されたボリュームを制御部１０３に設定する。本実施の形態では、ボリュームボタンでボリュームを入力しているが、リモートコントローラやボリュームノブを用いてボリュームを入力しても良い。
【００１７】
制御部１０３は、デコーダ部１０２で復号された音声信号をボリューム設定部１０５で設定したボリュームに設定する。適切なボリュームで設定された音声信号は、アンプ１０４に出力される。
【００１８】
電源１０７は、第１のスイッチ１０８を通してアンプ１０４、第２のスイッチ１１１を通して表示部１０９に電源を供給する。
【００１９】
アンプ１０４は、制御部１０３から出力された音声信号を増幅する。
【００２０】
電源制御部１０６は、ボリューム設定部１０５で設定したボリュームに応じて第１のスイッチ１０８を制御する。つまり、設定されたボリュームがある一定値よりも小さい場合には表示部１０９への電源供給を遮断するように制御され、大きい場合には表示部１０９への電源供給を行うように制御される。
【００２１】
第１のスイッチ１０８は、電源制御部１０６からの制御に応じて、表示部１０９への電源の供給をするかしないかを切り換える。
【００２２】
表示部１０９は、デコーダ部１０２で復号された時間情報およびタイトル情報、または、ボリューム制御部１０５から出力されるボリュームを表示する。
【００２３】
アンプ制御部１１０は、ボリューム設定部１０５で設定したボリュームに応じて第２のスイッチ１１１を制御する。つまり、設定されたボリュームがある一定値よりも小さい場合にはアンプ１０４への電源供給を遮断するように制御され、大きい場合にはアンプ１０４への電源供給を行うように制御される。
【００２４】
第２のスイッチ１１１は、アンプ制御部１１０からの制御に応じて、アンプ１０４への電源の供給をするかしないかを切り換える。
【００２５】
本実施の形態では、再生装置１００からの音声を出力するために、スピーカ１１２を接続している。
【００２６】
次に、再生装置１００の動作を説明する。
【００２７】
ユーザの支持により、再生部１０１で例えばＤＶＤが再生される。その結果、デコーダ部１０２は、再生された音声データを音声信号、時間情報、およびタイトル情報に復号する。復号された音声信号は制御部１０３に、時間情報およびタイトル情報は表示部１０９に出力する。
【００２８】
ボリューム設定部１０５は、ユーザーからの操作、例えばボリュームボタンにより、ボリュームを入力する。さらに入力されたボリュームを制御部１０３に設定する。制御部１０３は、設定されたボリュームに応じて、デコーダ部１０２で復号された音声信号を設定された適切なボリュームに調節する。アンプ１０４は、制御部１０３でボリュームが調節された音声信号を増幅する。増幅された音声信号は、スピーカ１１２により音に変換され出力される。
【００２９】
表示部１０９は、デコーダ部１０２からの時間情報やタイトル情報を表示し、ボリューム設定部１０５からのボリュームを表示する。
【００３０】
ユーザーのボリュームボタンの操作によりボリュームが絞られたときや、ミュートが選択されたときに、ボリューム設定部１０５は、アンプ制御部１１０に通知を行い、その通知を受けたアンプ制御部１１０は、第２のスイッチ１１１を制御して、電源１０７からのアンプ１０４への電源供給を遮断する。さらに、ボリューム設定部１０５は、電源制御部１０６に通知を行い、その通知を受けた電源制御部１０６は、第１のスイッチ１０８を制御して、電源１０７から表示部１０９への電源の供給を遮断する。
【００３１】
これにより、ボリュームでボリュームが絞られたときやミュートがかけられたときに、表示部への電源供給を遮断して、表示部１０９における表示を消すことにより、アンプへの電源供給を遮断することだけではなく、表示部への電源供給も遮断するので、より消費電力を削減することが出来る。
【００３２】
なお、実施の形態１において、ボリューム設定部と電源制御部を別としたが、これには限らない。例えば、マイコンを使用することにより、ユーザーからのボリューム設定を判定し、第１のスイッチ１０８を制御するようにしてもよい。
【産業上の利用可能性】
【００３３】
本発明は、音声データを再生する再生装置に関し、特に、ボリュームに連動して音声を再生する際の消費電力の削減に関するものであって、ボリュームが絞られてミュートがかけられたときに、表示を消すことができる再生装置を提供できる。そのため、本発明は、サラウンドシアターシステムをはじめとする音声のボリューム変更手段を有する機器に適用できる。
【符号の説明】
【００３４】
１００  再生装置
１０１  再生部
１０２  デコーダ部
１０３  制御部
１０４  アンプ
１０５  ボリューム設定部
１０６  電源制御部
１０７  電源
１０８  第１のスイッチ
１０９  表示部
１１０  アンプ制御部
１１１  第２のスイッチ
１１２  スピーカ
【図１】
2011186707.tif 000003